(57)【要約】【課題】  特別な操作を必要とせずに排紙従動ローラをレリース可能とするユーザフレンドリな記録装置を、トレイの大型化を伴わず、且つ低コストに構成する。【解決手段】  被記録媒体排出手段は排出駆動ローラ４１と排出従動ローラ４２とを備えて構成され、排出従動ローラ４２は排紙フレームＡｓｓｙ４５によって軸支される。排紙フレームＡｓｓｙ４５にはレバー部材６０が回動自在に支持されていて、レバー部材６０にはレバー部６１がレイ５０の搬送経路に突出するように形成されている。トレイ５０が差し込まれると、トレイ５０がレバー部６１を押し上げ、レリース部材６０が回動し、これによって排紙フレームＡｓｓｙ４５が接触ポジションから離間ポジションへ変位する。【選択図】図９
2006199431.tif 000002
【特許請求の範囲】
【請求項１】
被記録媒体に記録を行う記録手段と、
前記記録手段の下流側に設けられ、回転駆動される排出駆動ローラ及び当該排出駆動ローラに接して従動回転する排出従動ローラとを備えて構成された被記録媒体排出手段と、
前記排出従動ローラを支持するとともに、前記排出従動ローラが前記排出駆動ローラに接する接触ポジションと、前記排出従動ローラが前記排出駆動ローラから離間する離間ポジションと、をとり得るように変位可能に設けられた従動ローラ支持手段と、
前記従動ローラ支持手段を前記接触ポジションから前記離間ポジションへ変位させるレリース手段と、を備えるとともに、プレート形状を成す被搬送媒体を搬送可能に構成された記録装置であって、
前記レリース手段が、前記被搬送媒体の搬送経路に突出するレバー部を備えるとともに前記搬送経路を側視して回動可能となる様に前記従動ローラ支持手段に軸支されるレリース部材を備えて構成され、
前記レバー部が前記搬送経路に突出した状態において前記被搬送媒体が前記搬送経路に差し込まれることにより、前記被搬送媒体が前記レバー部を押し上げて前記レリース部材が回動し、当該レリース部材の回動動作に伴って前記従動ローラ支持手段が前記接触ポジションから前記離間ポジションへ変位するよう構成されている、
ことを特徴とする記録装置。
【請求項２】
請求項１において、前記レリース手段が、前記レバー部が前記搬送経路に突出するよう前記レリース部材に回動傾向を付与する付勢手段を備えている、
ことを特徴とする記録装置。
【請求項３】
請求項１または２において、前記レリース部材には、前記従動ローラ支持手段の前記離間ポジションにおいて前記被搬送媒体を前記排出駆動ローラに向けて押圧する押圧部が設けられている、
ことを特徴とする記録装置。
【請求項４】
請求項１または２において、前記レリース部材には、前記レバー部の前記搬送経路からの退避に伴って前記搬送経路に進出し且つ前記被搬送媒体を前記排出駆動ローラに向けて押圧する押圧部が設けられている、
ことを特徴とする記録装置。
【請求項５】
請求項３または４において、前記押圧部が、前記被搬送媒体と接して従動回転する押圧ローラによって成されている、
ことを特徴とする記録装置。
【請求項６】
請求項３から５のいずれか１項において、前記押圧部が主走査方向に複数設けられるとともに、その主走査方向における位置は、前記被搬送媒体の主走査方向中心に対して対称を成す位置であることを特徴とする記録装置。
【請求項７】
請求項３から６のいずれか１項において、前記押圧部は、主走査方向において被記録媒体の通過領域内に位置し、且つ被記録媒体の通過経路を側視して、前記従動ローラ支持手段の前記接触ポジションにおいては被記録媒体の通過領域から退避し、前記従動ローラ支持手段の前記離間ポジションにおいては被記録媒体の通過領域内に進出する、
ことを特徴とする記録装置。
【請求項８】
請求項１から７のいずれか１項において、前記レリース手段は、前記従動ローラ支持手段を前記離間ポジションにおいて水平姿勢に保持する、
ことを特徴とする記録装置。
【請求項９】
請求項１から８のいずれか１項において、前記従動ローラ支持手段の上方に位置決め部材が配設され、
前記従動ローラ支持手段には、前記位置決め部材と対向する側に前記位置決め部材に向かって突出する突出部が設けられ、
前記突出部が前記位置決め部材における前記従動ローラ支持手段と対向する面に当接することで、前記従動ローラ支持手段が前記離間ポジションに保持されるよう構成されている、
ことを特徴とする記録装置。
【請求項１０】
請求項９において、前記突出部を前記位置決め部材に圧接させる圧接手段を有している、
ことを特徴とする記録装置。
【請求項１１】
請求項１から１０のいずれか１項において、前記レリース部材が前記排出従動ローラの下流側に設けられている、
ことを特徴とする記録装置。
【請求項１２】
請求項１から１１のいずれか１項において、前記従動ローラ支持手段が前記接触ポジションにあるときに前記被搬送媒体の前記記録装置への誤挿入を防止する誤挿入防止手段を備えている、
ことを特徴とする記録装置。
【請求項１３】
請求項１から１２のいずれか１項において、前記被搬送媒体が、薄板状体をセット可能なセット部を有するトレイである、
ことを特徴とする記録装置。
【請求項１４】
被噴射媒体に液体噴射を行う液体噴射手段と、
前記液体噴射手段の下流側に設けられ、回転駆動される排出駆動ローラ及び当該排出駆動ローラに接して従動回転する排出従動ローラとを備えて構成された被記録媒体排出手段と、
前記排出従動ローラを支持するとともに、前記排出従動ローラが前記排出駆動ローラに接する接触ポジションと、前記排出従動ローラが前記排出駆動ローラから離間する離間ポジションと、をとり得るように変位可能に設けられた従動ローラ支持手段と、
前記従動ローラ支持手段を前記接触ポジションから前記離間ポジションへ変位させるレリース手段と、を備えるとともに、プレート形状を成す被搬送媒体を搬送可能に構成された液体噴射装置であって、
前記レリース手段が、前記被搬送媒体の搬送経路に突出するレバー部を備えるとともに前記搬送経路を側視して回動可能となる様に前記従動ローラ支持手段に軸支されるレリース部材を備えて構成され、
前記レバー部が前記搬送経路に突出した状態において前記被搬送媒体が前記搬送経路に差し込まれることにより、前記被搬送媒体が前記レバー部を押し上げて前記レリース部材が回動し、当該レリース部材の回動動作に伴って前記従動ローラ支持手段が前記接触ポジションから前記離間ポジションへ変位するよう構成されている、
ことを特徴とする液体噴射装置。
【発明の詳細な説明】
【技術分野】
【０００１】
本発明は、被記録媒体に記録を行う記録装置に関し、特にプレート形状を成す被搬送媒体（例えば、光ディスク等の薄板状体をセット可能なセット部を有するトレイ）を搬送可能に構成された記録装置および液体噴射装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
記録装置或いは液体噴射装置の一例としてのインクジェットプリンタには、ＣＤ−Ｒや、ＤＶＤ（Digital Versatile Disc）等に代表される、薄板状体としての光ディスク等を被記録媒体とし、そのラベル面に直接インク滴を吐出することによって記録を実行可能に構成されたものがある。この様なインクジェットプリンタにおいては、一般的に光ディスク等の薄板状体はプレート形状を成すトレイにセットされ、当該トレイにセットされた状態でインクジェットプリンタ内の搬送経路を搬送（副走査送り）され、そして前記ラベル面にインクジェット記録が実行される。
【０００４】
ところで、記録手段の下流側に設けられる被記録媒体の排出手段は、回転駆動される排出駆動ローラおよび当該排出駆動ローラに接して従動回転する排出従動ローラとを備えて構成されていて、そして排出従動ローラには、インクの白ヌケや転着防止の為に、外周に複数の歯を有する歯付きローラ（拍車）が採用される。しかし、光ディスクにはラベル面の直下にデータ記憶領域を有するものがあり、この様な光ディスクのラベル面に排出従動ローラ（歯付きローラ）が接触すると、ラベル面直下のデータ記憶領域にダメージを与える虞がある。そこで、光ディスク等のラベル面に直接インクジェット記録を実行可能に構成されたインクジェットプリンタにおいては、特許文献１〜３に示すように、排出従動ローラを排紙駆動ローラに対して接離可能に構成し、光ディスクのラベル面へのインクジェット記録実行時には排紙従動ローラを排紙駆動ローラ（即ち光ディスクのラベル面）から離間（レリース）させるように成されている。
【０００５】
【特許文献１】特開２００４−１３０７７４号公報
【特許文献２】特開２００４−４２３８２号公報
【特許文献３】特開２００３−２１１７５７号公報
【発明の開示】
【発明が解決しようとする課題】
【０００６】
しかし、上記従来のインクジェットプリンタにあっては、以下の点で更なる改善が望まれていた。  
第１に、特許文献１記載の記録装置にあっては、排紙従動ローラを支持する排紙フレームと、排紙スタッカとをリンク機構によって連結し、排紙スタッカのポジション切り換え操作に伴って排紙フレーム（排紙従動ローラ）が上下するように構成されている。従って、この様にリンク機構を採用することによって部品点数の増加に伴うコストアップを招き易い構成となっていた。
【０００７】
第２に、特許文献２記載の記録装置にあっては、記録装置本体に対して着脱可能に設けられたアタッチメント（ＣＤ搬送部）を記録装置本体に装着し、且つアタッチメントを構成するスライドカバーを操作することで排紙従動ローラ（拍車）が排紙駆動ローラ（排紙ローラ）から離間する構成となっている。従って、部品点数の増加に伴うコストアップを招き易く、且つ所定の操作を行う必要があることから必ずしもユーザフレンドリとは言えなかった。
【０００８】
第３に、特許文献３記載の記録装置にあっては、光ディスクをセットする搬送用トレイを記録装置にセットすると、搬送用トレイ自身が排紙フレームに設けられたレリースローラを押し退けることで、排紙フレーム（排紙従動ローラ）が上昇するよう構成されている。この構成においては、排紙従動ローラを特別な操作を行うことなく確実にレリースさせることができる反面、排紙フレームのレリースストロークを大きくとることができないといった欠点を有している。また、排紙フレームを安定した状態（姿勢）で離間ポジションに保持するためにはレリースローラをトレイの幅方向に複数設けることが望ましいが、レリースローラは単票紙の排出の妨げになるので、単票紙の搬送経路の外側に配置する必要がある。従って、単票紙の搬送経路の両側にレリースローラを設けると、これに伴ってトレイの幅寸法を大きくせざるを得なくなる（トレイの大型化）。
【０００９】
そこで本発明はこの様な状況に鑑み成されたものであり、その目的は、特別な操作を必要とせずに排紙従動ローラをレリース可能とするユーザフレンドリな記録装置を、トレイの大型化を伴わず、且つ低コストに構成することにある。
【課題を解決するための手段】
【００１０】
上記課題を解決するために、本発明の第１の態様は、被記録媒体に記録を行う記録手段と、前記記録手段の下流側に設けられ、回転駆動される排出駆動ローラ及び当該排出駆動ローラに接して従動回転する排出従動ローラとを備えて構成された被記録媒体排出手段と、前記排出従動ローラを支持するとともに、前記排出従動ローラが前記排出駆動ローラに接する接触ポジションと、前記排出従動ローラが前記排出駆動ローラから離間する離間ポジションと、をとり得るように変位可能に設けられた従動ローラ支持手段と、前記従動ローラ支持手段を前記接触ポジションから前記離間ポジションへ変位させるレリース手段と、を備えるとともに、プレート形状を成す被搬送媒体を搬送可能に構成された記録装置であって、前記レリース手段が、前記被搬送媒体の搬送経路に突出するレバー部を備えるとともに前記搬送経路を側視して回動可能となる様に前記従動ローラ支持手段に軸支されるレリース部材を備えて構成され、前記レバー部が前記搬送経路に突出した状態において前記被搬送媒体が前記搬送経路に差し込まれることにより、前記被搬送媒体が前記レバー部を押し上げて前記レリース部材が回動し、当該レリース部材の回動動作に伴って前記従動ローラ支持手段が前記接触ポジションから前記離間ポジションへ変位するよう構成されていることを特徴とする。
【００１１】
上記態様によれば、排出従動ローラを支持する従動ローラ支持手段を離間ポジションに変位させるレリース手段は、プレート形状を成す被搬送媒体の搬送経路に突出するレバー部を備えるとともに、前記搬送経路を側視して回動可能となる様に前記従動ローラ支持手段に軸支されるレリース部材を備えて構成され、前記レバー部が前記搬送経路に突出した状態において前記被搬送媒体が前記搬送経路に差し込まれることにより、前記被搬送媒体が前記レバー部を押し上げて前記レリース部材が回動し、当該レリース部材の回動動作に伴って前記従動ローラ支持手段が前記接触ポジションから前記離間ポジションへ変位する。即ち、上記レリース部材の回動動作を介して従動ローラ支持手段が離間ポジションに変位するので、従動ローラ支持手段のレリースストロークを大きくとることができるとともに、リンク機構を採用する場合等のように部品点数の増加を招くことなく、低コスト化に資すことができる。また、前記被搬送媒体が前記搬送経路に差し込まれることで特別な操作を要せずに前記排出従動ローラが前記排出駆動ローラから確実に離間するので、ユーザの取扱性を向上させることができる。
【００１２】
本発明の第２の態様は、上記第１の態様において、前記レリース手段が、前記レバー部が前記搬送経路に突出するよう前記レリース部材に回動傾向を付与する付勢手段を備えていることを特徴とする。  
上記態様によれば、前記レリース手段が、前記レバー部が前記搬送経路に突出するよう前記レリース部材に回動傾向を付与する付勢手段を備えているので、前記被搬送媒体が排出される際には、前記レバー部が前記被搬送媒体の先端を排出方向に押し出す様に作用する。従ってこれにより前記被搬送媒体の排出性が高まり、円滑に前記被搬送媒体を排出することができる。
【００１３】
本発明の第３の態様は、上記第１のまたは第２の態様において、前記レリース部材には、前記従動ローラ支持手段の前記離間ポジションにおいて前記被搬送媒体を前記排出駆動ローラに向けて押圧する押圧部が設けられていることを特徴とする。  
上記態様によれば、前記レリース部材には、前記従動ローラ支持手段の前記離間ポジションにおいて前記被搬送媒体を前記排出駆動ローラに向けて押圧する押圧部が設けられているので、前記被搬送媒体の浮き上がりを防止でき、前記被搬送媒体が前記排出従動ローラに接触することを確実に防止することができる。
【００１４】
本発明の第４の態様は、上記第１のまたは第２の態様において、前記レリース部材には、前記レバー部の前記搬送経路からの退避に伴って前記搬送経路に進出し且つ前記被搬送媒体を前記排出駆動ローラに向けて押圧する押圧部が設けられていることを特徴とする。  
上記態様によれば、前記レリース部材には、前記レバー部の前記搬送経路からの退避に伴って前記搬送経路に進出し且つ前記被搬送媒体を前記排出駆動ローラに向けて押圧する押圧部が設けられているので、前記被搬送媒体にセットされた被記録媒体が前記排出従動ローラに接触することを確実に防止することができる。
【００１５】
本発明の第５の態様は、上記第３のまたは第４の態様において前記押圧部が、前記被搬送媒体と接して従動回転する押圧ローラによって成されていることを特徴とする。  
上記態様によれば、前記押圧部が、前記被搬送媒体と接して従動回転する押圧ローラによって成されているので、前記被搬送媒体の搬送に際して負荷を生じさせることなく、円滑に搬送することができる。
【００１６】
本発明の第６の態様は、上記第３から第５の態様のいずれかにおいて、前記押圧部が主走査方向に複数設けられるとともに、その主走査方向における位置は、前記被搬送媒体の主走査方向中心に対して対称を成す位置であることを特徴とする。  
上記態様によれば、前記押圧部が主走査方向に複数設けられるとともに、その主走査方向における位置は、前記被搬送媒体の主走査方向中心に対して対称を成す位置であるので、前記押圧ローラと前記排出駆動ローラとによって前記被搬送媒体を搬送する際に、スキューを生じることなく適切に搬送することができる。
【００１７】
本発明の第７の態様は、上記第３から第６の態様のいずれかにおいて、前記押圧部は、主走査方向において被記録媒体の通過領域内に位置し、且つ被記録媒体の通過経路を側視して、前記従動ローラ支持手段の前記接触ポジションにおいては被記録媒体の通過領域から退避し、前記従動ローラ支持手段の前記離間ポジションにおいては被記録媒体の通過領域内に進出することを特徴とする。  
上記態様によれば、前記押圧部は主走査方向において単票紙等の被記録媒体の通過領域の外側ではなく内側に位置しているので、前記被搬送媒体の幅方向（主走査方向）寸法が大きくなることを防止できるとともに、前記従動ローラ支持手段の前記接触ポジションにおいては被記録媒体の通過領域から退避するので、単票紙等の被記録媒体の通過を妨げることがない。
【００１８】
本発明の第８の態様は、上記第１から第７の態様のいずれかにおいて、前記レリース手段は、前記従動ローラ支持手段を前記離間ポジションにおいて水平姿勢に保持することを特徴とする。  
従動ローラ支持手段の上流側は記録ヘッドを備えたキャリッジの主走査領域となっていることが多く、この様な場合に従動ローラ支持手段が傾斜姿勢をとると、従動ローラ支持手段の上流側端部がキャリッジの主走査領域に干渉し易い。しかし、上記態様によれば、前記レリース手段は、前記従動ローラ支持手段を前記離間ポジションにおいて水平姿勢に保持することから、従動ローラ支持手段の上流側端部がキャリッジの主走査領域に干渉し難く、従って従動ローラ支持手段とキャリッジとの干渉を防止するために両者を大きく離す必要がなく、装置の大型化を防止することができる。
【００１９】
本発明の第９の態様は、上記第１から第８の態様のいずれかにおいて、前記従動ローラ支持手段の上方に位置決め部材が配設され、前記従動ローラ支持手段には、前記位置決め部材と対向する側に前記位置決め部材に向かって突出する突出部が設けられ、前記突出部が前記位置決め部材における前記従動ローラ支持手段と対向する面に当接することで、前記従動ローラ支持手段が前記離間ポジションに保持されるよう構成されていることを特徴とする。  
上記態様によれば、簡単な構成で、前記従動ローラ支持手段を前記離間ポジションに保持することができる。
【００２０】
本発明の第１０の態様は、上記第９の態様において、前記突出部を前記位置決め部材に圧接させる圧接手段を有していることを特徴とする。  
上記態様によれば、前記突出部を前記位置決め部材に圧接させる圧接手段を有しているので、前記従動ローラ支持手段をより安定した状態で前記離間ポジションに保持することができる。
【００２１】
本発明の第１１の態様は、上記第１から第１０の態様のいずれかにおいて、前記レリース部材が前記排出従動ローラの下流側に設けられていることを特徴とする。  
上記態様によれば、前記レリース部材が前記排出従動ローラの下流側に設けられているので、前記被搬送媒体を前記排出従動ローラの下流側（即ち記録装置の前方側）から挿入する構成を採る場合に、前記被搬送媒体にセットされた薄板状体が前記排出従動ローラに接触することを防止することができる。
【００２２】
本発明の第１２の態様は、上記第１から第１１の態様のいずれかにおいて、前記従動ローラ支持手段が前記接触ポジションにあるときに前記被搬送媒体の前記記録装置への誤挿入を防止する誤挿入防止手段を備えていることを特徴とする。  
上記態様によれば、前記従動ローラ支持手段が前記接触ポジションにあるときに前記被搬送媒体の前記記録装置への挿入を防止する誤挿入防止手段を備えていることから、前記従動ローラ支持手段が前記接触ポジションにあるときに前記被搬送媒体が不適切な位置（例えば、前記レバー部と係合しない位置）から挿入され、そして当該被搬送媒体が前記排出従動ローラに接触するといった不具合を防止することができる。
【００２３】
本発明の第１３の態様は、上記第１から第１２の態様のいずれかにおいて、前記被搬送媒体が、薄板状体をセット可能なセット部を有するトレイであることを特徴とする。  
上記態様によれば、光ディスク等の薄板状体をセット可能なトレイを用いて光ディスク等のラベル面に記録を実行する際に、上述した第１から第１２の態様による作用効果を得ることができる。
【００２４】
本発明の第１４の態様は、被噴射媒体に液体噴射を行う液体噴射手段と、前記液体噴射手段の下流側に設けられ、回転駆動される排出駆動ローラ及び当該排出駆動ローラに接して従動回転する排出従動ローラとを備えて構成された被記録媒体排出手段と、前記排出従動ローラを支持するとともに、前記排出従動ローラが前記排出駆動ローラに接する接触ポジションと、前記排出従動ローラが前記排出駆動ローラから離間する離間ポジションと、をとり得るように変位可能に設けられた従動ローラ支持手段と、前記従動ローラ支持手段を前記接触ポジションから前記離間ポジションへ変位させるレリース手段と、を備えるとともに、プレート形状を成す被搬送媒体を搬送可能に構成された液体噴射装置であって、前記レリース手段が、前記被搬送媒体の搬送経路に突出するレバー部を備えるとともに前記搬送経路を側視して回動可能となる様に前記従動ローラ支持手段に軸支されるレリース部材を備えて構成され、前記レバー部が前記搬送経路に突出した状態において前記被搬送媒体が前記搬送経路に差し込まれることにより、前記被搬送媒体が前記レバー部を押し上げて前記レリース部材が回動し、当該レリース部材の回動動作に伴って前記従動ローラ支持手段が前記接触ポジションから前記離間ポジションへ変位するよう構成されていることを特徴とする。
【発明を実施するための最良の形態】
【００２５】
＜＜第１の実施形態＞＞  
以下、本発明の第１実施形態について図面を参照しながら説明する。以下では先ず、図１および図２を参照しながら、記録装置或いは液体噴射装置の一例としてのインクジェットプリンタ（以下「プリンタ」と言う）１の概要について説明する。ここで、図１はプリンタ１の装置本体（外装ケースを取り外した状態）の外観斜視図であり、図２は同側断面図である。尚、以下では図２の右方向（プリンタ前方側）を用紙或いはトレイの搬送経路の「下流側」と言い、左方向（プリンタ後方側）を「上流側」と言うこととする。
【００２６】
プリンタ１は後部に「被記録媒体」、「被噴射媒体」の一例としての記録用紙（主として単票紙：以下「用紙Ｐ」と言う）を傾斜姿勢でセット可能な給送装置２を備え、当該給送装置２から、用紙Ｐを下流側の被記録媒体搬送手段４へ向けて給送する。給送された用紙Ｐは被記録媒体搬送手段４によって下流側の記録手段３へ搬送され、記録が実行される。尚、被記録媒体搬送手段４は後述する「プレート形状を成す被搬送媒体」としてのトレイ５０も搬送し、記録手段３はトレイ５０にセットされた「被記録媒体」、「被噴射媒体」としての光ディスクＤ（薄板状体）へ記録を実行する。記録手段３によって記録の行われた用紙Ｐや、光ディスクＤ（トレイ５０）は、下流側の被記録媒体排出手段５によって装置前方へ排出される。
【００２７】
以下、プリンタ１の用紙搬送経路上の構成要素について更に詳説する。給送装置２は、ホッパ１１と、給送ローラ１２と、リタードローラ１３と、戻しレバー１４とを備えて構成されている。  
ホッパ１１は板状体から成り、上部の揺動支点（図示せず）を中心に揺動可能に構成され、揺動することにより、ホッパ１１上に傾斜姿勢に支持された用紙Ｐを給送ローラ１２に圧接させ、または、給送ローラ１２から離間させる。給送ローラ１２は側面視略Ｄ形の形状を成し、その円弧部分によって圧接した最上位の用紙Ｐを下流側へ給送する一方で、用紙Ｐが給送された後の、被記録媒体搬送手段４による用紙Ｐの搬送中においては、搬送負荷を生じさせない様に図示する様にその平坦部が用紙Ｐと対向する様に制御される。
【００２８】
リタードローラ１３は、給送ローラ１２の円弧部分と圧接可能に設けられている。リタードローラ１３は用紙Ｐの重送が発生せずに、１枚だけ用紙Ｐが給送されている場合にはこの用紙Ｐに接して従動回転（図２の時計回り）し、用紙Ｐが給送ローラ１２とリタードローラ１３との間に複数枚存在する場合には、用紙間の摩擦係数が用紙Ｐとリタードローラ１３との間の摩擦係数よりも低いため、回転せずに停止した状態となる。従ってこれにより、給送されるべき最上位の用紙Ｐにつられて重送されようとする次位以降の用紙Ｐが、リタードローラ１３から下流側へ進まずに、重送が防止される。戻しレバー１４は回動可能に設けられていて、重送されようとした次位以降の用紙Ｐをホッパ１１上に戻す作用を奏する。
【００２９】
給送装置２と被記録媒体搬送手段４との間には、用紙Ｐの通過を検出する検出手段（図示せず）と、用紙Ｐの給送姿勢を形成するとともに用紙Ｐの給送ローラ１２への接触を防止して搬送負荷を軽減するガイドローラ２６が設けられている。尚、本実施形態においてガイドローラ２６は、紙案内上２４の上流側端部において自由回転可能に軸支されている。
【００３０】
給送装置２の下流側に設けられた被記録媒体搬送手段４は、モータによって回転駆動される搬送駆動ローラ３０と、該搬送駆動ローラ３０に圧接して従動回転する搬送従動ローラ３１とを備えて構成されている。搬送駆動ローラ３０は用紙幅方向に延びる金属軸の外周面に耐摩耗性粒子がほぼ均一に分散されて成る付着層を備えて成され、搬送従動ローラ３１は外周面がエラストマ等の低摩擦材料によって成され、搬送駆動ローラ３０の軸線方向に複数配設されている。
【００３１】
また、搬送従動ローラ３１は本実施形態では１つの紙案内上２４の下流側端部に２つ自由回転可能に軸支され、その紙案内上２４は、用紙幅方向に３つ、図１に示すように設けられている。また、紙案内上２４は軸２４ａがメインフレーム２３に軸支されることで、用紙搬送経路を側視して軸２４ａ中心に揺動可能に設けられるとともに、コイルばね２５によって、搬送従動ローラ３１が搬送駆動ローラ３０に圧接する方向に付勢されている。  
被記録媒体搬送手段４に到達した用紙Ｐは、搬送駆動ローラ３０と搬送従動ローラ３１とによってニップされた状態で搬送駆動ローラ３０が回転することにより、下流側の記録手段３へと搬送される。
【００３２】
記録手段３は、インクジェット記録ヘッド（以下「記録ヘッド」と言う）３６と、当該記録ヘッド３６と対向するように設けられる紙案内下３７とを備えて構成される。記録ヘッド３６はキャリッジ３３の底部に設けられ、当該キャリッジ３３は主走査方向に延びるキャリッジガイド軸３４にガイドされながら、図示しない駆動モータによって主走査方向に往復動する様に駆動される。また、キャリッジ３３は、複数色の各色毎に独立したインクカートリッジ３５を搭載し、記録ヘッド３６へとインクを供給する。
【００３３】
用紙Ｐと記録ヘッド３６との距離を規定する紙案内下３７には、記録ヘッド３６と対向する面にリブが形成されているとともに（図示せず）、インクを打ち捨てる凹部（図示せず）が形成されていて、用紙Ｐの端部から外れた領域に吐出するインクを前記凹部に打ち捨てることにより、用紙Ｐの端部に余白無く印刷を行う所謂フチ無し印刷が実行される。
【００３４】
続いて、記録ヘッド３６の下流側には、ガイドローラ４３と、被記録媒体排出手段５が設けられている。ガイドローラ４３は用紙Ｐの紙案内下３７からの浮き上がりを防止して用紙Ｐと記録ヘッド３６との距離を一定に保つ機能を果たす。被記録媒体排出手段５は図示しないモータによって回転駆動される排出駆動ローラ４１と、当該排出駆動ローラ４１に接して従動回転する排出従動ローラ４２とを備えて構成されている。本実施形態において排出駆動ローラ４１はゴムローラによって成されるとともに回転駆動される軸体の軸方向に複数設けられる（図１１参照）。
【００３５】
また、排出従動ローラ４２は外周に複数の歯を有する歯付きローラによって成されるとともに、主走査方向に長い形状を成す排紙フレームＡｓｓｙ（従動ローラ支持手段）４５に、複数の排出駆動ローラ４１に対応するよう複数設けられる。記録手段３によって記録の行われた用紙Ｐは、排出駆動ローラ４１と排出従動ローラ４２とによってニップされた状態で排出駆動ローラ４１が回転駆動されることにより、装置前方（図示しないスタッカ）へ向けて排出される。
【００３６】
尚、従動ローラ支持手段としての排紙フレームＡｓｓｙ４５は、排出従動ローラ４２が排出駆動ローラ４１に接する接触ポジションと、排出駆動ローラ４１から離間する離間ポジションと、をとり得るように変位可能に設けられている。また、排紙フレームＡｓｓｙ４５を前記接触ポジションから前記離間ポジションへ変位させるレリース手段が設けられているが、これらについては後に詳述する。
【００３７】
以上が用紙搬送経路上の構成要素であるが、プリンタ１は、被記録媒体或いは被噴射媒体として単票紙等の他に、ＣＤ−Ｒ等の光ディスク（薄板状体）のラベル面に直接インクジェット記録可能に構成されている。図１に示す様に光ディスクＤは、プレート形状を成すトレイ５０にセットされた状態で、プリンタ１における直線状のトレイ搬送経路を搬送される。トレイ５０はプリンタ１とは別体に構成され、プリンタ１前方に設けられたトレイガイド７に支持されながら、プリンタ１の後方側（上流側）へ向けて、トレイ搬送経路に手差しで差し込まれる。
【００３８】
以下、トレイ５０の構成について図３および図４を参照しながら説明する。図３はトレイ５０の平面図、図４はトレイ５０先端の外観斜視図である。  
図３に示すように、トレイ５０は平面視において長方形の形状を成し、搬送駆動ローラ３０と搬送従動ローラ３１とによってニップ可能なプレート形状を成すとともに、搬送駆動ローラ３０の回転に伴って副走査送り可能となっている。
【００３９】
トレイ５０は、トレイ本体５１とセット部５２とを備えるように樹脂材料によって一体的に形成されている。セット部５２は、図示するように平面視において円形の形状を成す凹部によって構成されている。セット部５２の中心には凸部５３が形成され、光ディスクＤがセット部５２にセットされた際に、光ディスクＤの中心穴（図示せず）が凸部５３に嵌合し、これによって光ディスクＤのセット部５２における位置が定まるようになっている。尚、セット部５２の周囲に形成された穴５４、５４は、光ディスクＤの取り出し（イジェクト）用穴である。
【００４０】
図３の上下方向はトレイ５０の搬送方向となっていて、上述したようにトレイ５０をトレイガイド７を介してトレイ５０の搬送経路に差し込む（給送する）際には、図３の上方を先端として差し込むようになっている。即ち、符号５６は、トレイ５０の先端を示している。そして、トレイ５０の先端には、図４にも示すように舌片部５７、５７が、トレイ５０の差し込み方向に突出するように、トレイ５０と一体的に形成されている。  
この舌片部５７は、図４に示すように先端に向かって先細りするとともに、その底面が、トレイ本体５１の底面とともに平坦な面を形成するように成されている。また、トレイ５０の先端５６も、舌片部５７と同様に先端に向かって先細りするように形成されている。
【００４１】
上記舌片部５７は、以下の様な作用効果を奏する。即ち、トレイ５０をトレイ５０の搬送経路に差し込む際には、トレイ５０の先端５６を頭にして、トレイガイド７を介してプリンタ１後方側へ向けて差し込む。このとき、後述するレリース手段によって排出従動ローラ４２が排出駆動ローラ４１から離間するとともに、押圧ローラ６３（図２）が搬送経路に進出し、トレイ５０は排出駆動ローラ４１と押圧ローラ６３とによって（搬送経路を側視して）挟まれた状態となる。そして、この状態で排出駆動ローラ４１が回転駆動されることによって、トレイ５０が被記録媒体搬送手段４へ向けて搬送される。
【００４２】
搬送駆動ローラ３０と搬送従動ローラ３１とによってトレイ５０を副走査送りするには、トレイ５０の先端５６を、搬送駆動ローラ３０と搬送従動ローラ３１との間に入り込ませる必要があるが、トレイ５０の先端５６には前記舌片部５７が形成されているので、排出駆動ローラ４１の回転に伴ってトレイ５０が被記録媒体搬送手段４へ向けて搬送されると、舌片部５７が搬送駆動ローラ３０と搬送従動ローラ３１との間に入り込み、これがきっかけとなってその後にトレイ５０の先端５６が搬送駆動ローラ３０と搬送従動ローラ３１との間に入り込み、やがてトレイ５０は両ローラによってニップされる。
【００４３】
即ち、舌片部５７によってトレイ５０先端の面積（平面視による）が極めて小さくなるので、小さい力でトレイ５０の先端５６を搬送駆動ローラ３０と搬送従動ローラ３１との間に容易に入り込ませることができる。従ってこれにより、搬送従動ローラ３１を搬送駆動ローラ３１から離間（レリース）させる手段を用いることなく、トレイ５０を搬送駆動ローラ３０と搬送従動ローラ３１との間に入り込ませることが可能となる。
【００４４】
以上がプリンタ１の概要であり、以下、図５乃至図１０を参照しながら、排紙フレームＡｓｓｙ４５および当該排紙フレームＡｓｓｙ４５を接触ポジションから離間ポジションへ変位させるレリース手段について詳説する。ここで図５および図６は排紙フレームＡｓｓｙ４５の外観斜視図、図７はレリース部材６０（レリース手段６）の外観斜視図、図８はレリース部材６０の取付部の拡大斜視図、図９および図１０は排紙フレームＡｓｓｙ４５周辺のトレイ搬送経路の側断面図である。
【００４５】
図５に示すように、排紙フレームＡｓｓｙ４５は、金属板材によって形成された排紙フレーム４６と、樹脂材料によって形成されたローラ支持部材４７とを備えて構成され、主走査方向（用紙幅方向）に延びる形状を成している。  
ローラ支持部材４７には、排出従動ローラ４２を軸支するホルダ部４４が、主走査方向に局在するように一体的に形成されていて、また、後述するレリース部材６０を軸支する軸受け部４７ａ、４７ａが一体的に形成されている。  
尚、図６および図７において符号４７ｂで示すリブは、普通紙等の用紙Ｐが排出される際に、当該用紙Ｐを下流側へ円滑に案内するためのガイドリブである。
【００４６】
一方、図７に示すようにレリース手段６を構成するレリース部材６０は主走査方向に延びる軸体によって成され、その軸端部６０ａ、６０ａが、図８に詳しく示すように上記軸受け部４７ａ、４７ａにスナップフィット式に嵌合することにより、ローラ支持部材４７に保持される。尚、図８に示すように排紙フレーム４６がローラ支持部材４７と嵌合することによって、排紙フレーム４６に形成された抜け留め部４６ａが軸端部６０ａを軸受け部４７ａから脱落しないよう確実に保持するよう構成されている。以上により、レリース部材６０は、排紙フレームＡｓｓｙ４５に回動可能に軸支される。
【００４７】
次に、図７および図８に示すようにレリース部材６０の一方の軸端部６０ａの近傍には、レバー部６１が形成され、更にレバー部６１近傍と、他方の軸端部６０ａの近傍には、「押圧部」を構成する押圧ローラ６３（例えば、ゴムローラによって成される）が、軸受部６２によってそれぞれ回動自在に軸支されている。
【００４８】
以下、レリース部材６０の作用、特にレバー部６１と押圧ローラ６３との関係について、図９および図１０を参照しながら説明する。  
図９は、排出従動ローラ４２が排出駆動ローラ４１に接した状態（排紙フレームＡｓｓｙ４５の接触ポジション）を示し、図１０は排出従動ローラ４２が排出従動ローラ４１から離間した状態（排紙フレームＡｓｓｙ４５の離間ポジション）を示している。
【００４９】
排紙フレームＡｓｓｙ４５の接触ポジションを示す図９においては、図示するようにレバー部６１がトレイ５０の搬送経路に突出し、且つ、押圧ローラ６３がトレイ５０の搬送経路から退避した状態となっている。ここで、レリース部材６０は、図示しない付勢手段（例えば、捻りばね）の付勢力によってレバー部６１がトレイ５０の搬送経路に突出するような回動傾向が付勢された状態に設けられている（図９の矢印ｄ方向）。
【００５０】
この状態において、トレイ５０が装置前方（トレイ搬送経路の下流側）から装置後方（トレイ搬送経路の上流側）へ向けて、手差しでトレイ搬送経路に差し込まれると（図９の矢印ｅ方向）、図１０に示すようにトレイ５０がレバー部６１を押し上げて、レリース部材６０が回動し、当該レリース部材６０の回動動作に伴って排紙フレームＡｓｓｙ４５が上方に変位する。即ち、レリース部材６０がトレイ５０によって上方に押し上げられることで、排紙フレームＡｓｓｙ４５は接触ポジションから離間ポジションに変位する。
【００５１】
ここで、排紙フレームＡｓｓｙ４５の上方には「位置決め部材」としてのガイドフレーム４８が設けられていて、ローラ支持部材４７の下流側端部には、ガイドフレーム４８に向かって突出する突出部４５ａが形成されている。そして、図１０に示すように、突出部４５ａがガイドフレーム４８の下面（排紙フレームＡｓｓｙ４５と対向する面）に当接することで、排紙フレームＡｓｓｙ４５が離間ポジションに位置決めされる。
【００５２】
尚この離間ポジションにおいては、図１０に示すように排紙フレームＡｓｓｙ４５はほぼ水平姿勢に保持されるようになっている。これは、排紙フレームＡｓｓｙ４５の上流側の上方は、図示するようにキャリッジ３５の主走査領域となっており、例えば排紙フレームＡｓｓｙ４５の上流側が斜め上方に向かうように排紙フレームＡｓｓｙ４５の姿勢が傾斜姿勢となると、排紙フレームＡｓｓｙ４５の上流側端部がキャリッジ３５と干渉してしまうからである。そこで、上述の通り排紙フレームＡｓｓｙ４５を離間ポジションにおいて水平姿勢とすることで、排紙フレームＡｓｓｙ４５とキャリッジ３５とを大きく離すことなく双方の干渉を防止して、装置の大型化を防止している。
【００５３】
次に、排紙フレームＡｓｓｙ４５とガイドフレーム４８との間には、「圧接手段」としてのコイルばね４９が配設され、そして排紙フレームＡｓｓｙ４５の上流側をガイドフレーム４８から離間させる様に付勢力を作用させている。このコイルばね４９の付勢力は、押圧ローラ６３がトレイ５０を排出駆動ローラ４１に向けて押圧する押圧力と、突出部４５ａがガイドフレーム４８に圧接する圧接力と、を形成するように作用する。即ち、図１０に示すように力点（符号ａで示す）、支点（符号ｂで示す）、作用点（符号ｃで示す）からなる梃子の原理が形成される。従ってこれにより、排紙フレームＡｓｓｙ４５が安定して離間ポジションを保持することができるとともに、確実にトレイ５０を排出駆動ローラ４１へ向けて押圧することが可能となっている。
【００５４】
以上説明したように、レリース部材６０の回動動作を介して排紙フレームＡｓｓｙ４５が離間ポジションに変位するので、排紙フレームＡｓｓｙ４５のレリースストロークを大きくとることができるとともに、リンク機構を採用する場合等のように部品点数の増加を招くことなく、低コストにレリース手段を構成することができる。また、トレイ５０が搬送経路に差し込まれることで、トレイ５０それ自体が排紙フレームＡｓｓｙ４５を接触ポジションから離間ポジションに変位させることから、特別な操作を要せずに排出従動ローラ４２を排出駆動ローラ４１から確実に離間させることができ、ユーザの取扱性を向上させることが可能となる。更に、押圧ローラ６３によってトレイ５０が排出駆動ローラ４１に向けて押圧されるので、トレイ５０の浮き上がり、即ちトレイ５０にセットされた光ディスクＤと排出従動ローラ４２との接触を確実に防止することができる。また、押圧ローラ６３は自由回転可能なので、トレイ５０の搬送に際しての搬送負荷を最小限に留めることができる。
【００５５】
次に、図９から図１０への変化に示すように、レバー部６１の搬送経路からの退避に伴って押圧ローラ６３が搬送経路に進出し、そしてトレイ５０を排出駆動ローラ４１に向けて押圧する。従ってこれにより、トレイ５０が排出駆動ローラ４１と押圧ローラ６３とによって（搬送経路を側視して）挟まれた状態となり、排出駆動ローラ４１の回転によってトレイ５０を搬送可能な状態となる。
【００５６】
そしてトレイ５０は、排出駆動ローラ４１の回転によって上流側へ搬送され、その先端に形成された舌片部５７（図３）の作用によって、トレイ５０の先端は搬送駆動ローラ３０と搬送従動ローラ３１との間に円滑に入りこみ、トレイ５０は搬送駆動ローラ３０と搬送従動ローラ３１とによってニップされた状態となる。以降は、搬送駆動ローラ３０の回転によって下流側に副走査送りされ、記録ヘッド３６による光ディスクＤへの記録が実行される。
【００５７】
ここで、トレイ５０が排出される際には（図９の矢印ｆ方向）、レリース部材６０には矢印ｄで示す方向の回動傾向が付与されているので、レバー部６１が、トレイ５０の先端を排出方向（矢印ｆ方向）に押し出すように作用する。従ってこれによりトレイ５０の排出性が高まり、円滑にトレイ５０を排出することができる。
【００５８】
ところで、図１２において主走査方向における領域Ｂは単票紙等の用紙Ｐが通過する領域を示し、領域Ａはトレイ５０が通過する領域を示しており、図示するように押圧ローラ６３は、領域Ｂ内に位置している。また、図９に示すように用紙搬送経路を側視しては、排紙フレームＡｓｓｙ４５の接触ポジションにおいて単票紙等の用紙Ｐが通過する領域から退避し、図１０に示すように排紙フレームＡｓｓｙ４５の離間ポジションにおいては単票紙等の用紙Ｐの通過領域内に進出する。
【００５９】
即ち、押圧ローラ６３を単票紙等の用紙Ｐの通過の妨げにならないように、主走査方向において単票紙等の用紙Ｐの通過領域Ｂの外側に配置すると、これにともなって領域Ａ、即ちトレイ５０の幅方向寸法が大きくなる。しかし、押圧ローラ６３は主走査方向において単票紙等の用紙Ｐの通過領域Ｂの内側に位置しているので、トレイ５０の幅方向寸法が大きくなることを防止できるとともに、単票紙等の用紙Ｐが通過する状態（図９に示す排紙フレームＡｓｓｙ４５の接触ポジション）では、単票紙等の用紙Ｐの通過領域から退避するので、単票紙等の用紙Ｐの通過を妨げることがない。
【００６０】
尚、押圧ローラ６３は複数（本実施形態では、２つ）設けられるとともに、図１２に示すようにその主走査方向における位置は、トレイ５０の主走査方向中心に対して対称を成す位置（本実施形態では、トレイ５０の両側端近傍）であるので、押圧ローラ６３と排出駆動ローラ４１とによってトレイ５０を搬送する際に、スキューを生じることなく適切に搬送することができるようになっている。
【００６１】
続いて、排紙フレームＡｓｓｙ４５が接触ポジションにあるときにトレイ５０が誤った位置から挿入されることを防止する誤挿入防止手段について説明する。  
図１に示すように、トレイガイド７には、誤挿入防止手段を構成するガイドリブ７４、７５が形成されている。ガイドリブ７４、７５はトレイ５０の両側端位置に設けられることでトレイ５０の側端位置を規制するとともに、ひさし部７４ａ、７５ａを備え、これによってトレイ５０のトレイガイド７からの浮き上がりを防止する機能を果たす。
【００６２】
ところで、トレイ５０がガイドリブ７４、７５を介して正しくセットされず、例えば、トレイ５０の一方側の側端がひさし部７４ａまたは７５ａの上部に乗り上げるようにセットされて、そしてその状態で装置内部に差し込まれた際に、トレイ５０の先端がレリース部材６０を上方に押し上げてしまうと、排紙フレームＡｓｓｙ４５は接触ポジションから離間ポジションに変位してしまう。従って、トレイ５０がトレイガイド７から浮き上がった状態のまま装置内部に差し込まれて、トレイ５０にセットされた光ディスクＤが排出従動ローラ４２と接触してしまったり、トレイ５０先端によって装置内部の構成要素を破損させてしまうといった不具合を招く虞がある。
【００６３】
しかし、ひさし部７４ａ、７５ａは、その上部にトレイ５０の側端が載った場合には、トレイ５０の先端がローラ支持部材４７に当接するようにトレイ５０の先端を案内する機能を果たす。従ってこれにより、トレイ５０がガイドリブ７４、７５によって正しくガイドされない状態で差し込まれても、トレイ５０の先端がローラ支持部材４７と当接することで、それ以上の進入が防止され、即ち排紙フレームＡｓｓｙ４５が接触ポジションから離間ポジションに変位することがなく、トレイ５０の誤挿入に伴う不具合を防止できるようになっている。
【００６４】
＜＜第２の実施形態＞＞  
続いて、本発明の第２実施形態について、図１１乃至図１３を参照しながら説明する。ここで、図１１はプリンタ１の装置本体の外観斜視図、図１２は同正面図、図１３は本実施形態に係るトレイ５０Ａの平面図である。  
上述したように、図９から図１０への変化に示すように排出従動ローラ４２の退避に伴って押圧ローラ６３がトレイ搬送経路に進出し、そしてトレイ５０を排出駆動ローラ４１に向けて押圧するので、排出駆動ローラ４１の回転によってトレイ５０を搬送可能な状態となる。上記第１の実施形態では、この状態で排出駆動ローラ４１を回転させることでトレイ５０を上流側の被記録媒体搬送手段４へと搬送し、実際の記録実行時には、被記録媒体搬送手段４によってトレイ５０を副走査送りした。しかし、本実施形態では被記録媒体搬送手段４を用いずに、実際の記録実行時においても、排出駆動ローラ４１の回転のみによってトレイ５０を副走査送りする。
【００６５】
ここで、押圧ローラ６３は、光ディスクＤの記録面側に配置されるとともに、図１１および図１２に示すようにトレイ５０（トレイ本体５１）においてセット部５２以外の領域と接するように配置されている。即ち、トレイ５０を搬送するトレイ搬送手段が、光ディスクＤの記録面側に配置されるとともにトレイ本体５１においてセット部５２以外の領域と接する第１ローラ（押圧ローラ６３）と、トレイ本体５１において前記第１ローラが接する面に対して反対側の面と接する第２ローラ（排出駆動ローラ４１）と、を備えて構成されている。従って、トレイ５０にセットされた光ディスクＤの記録面にローラの通過痕を残すことがなく、記録品質の低下を防止して良好な記録結果を得ることが可能となる。加えて、トレイ５０におけるセット部５２をローラが通過すると、セット部５２の段差形状をローラが通過することによって搬送精度に悪影響を及ぼす虞があるが、上述の通りトレイ搬送手段はセット部５２以外の領域と接するので、上記の様な搬送精度の低下を防止できる。
【００６６】
また、被記録媒体搬送手段４を利用しないため、即ち単票紙等（特に、銀塩写真並の超高画質印刷を行う為の専用光沢紙等）の搬送精度を考慮する必要が無いため、押圧ローラ６３によるトレイ５０を押圧する押圧力を、容易に最適化することができる。従ってトレイ５０を強く押圧することによるトレイ５０へのダメージの付与を防止することができる。また、搬送駆動ローラ３０は上述の通り金属軸の外周面に耐摩耗性粒子がほぼ均一に分散されて成る付着層を備えて成されているので、トレイ５０がこの様な搬送駆動ローラ３０によって搬送されることによる、トレイ５０へのダメージの付与を防止できる。
【００６７】
加えて、トレイ５０はプリンタ１の前方側から手差しで差し込まれるが、光ディスクＤへの記録に際してトレイ５０先端が被記録媒体搬送手段４にニップされる必要がないので、従ってトレイ５０を、図１３に示すトレイ５０Ａのようにその先端部分の寸法（セット部５２の領域から先端までの距離：符号Ｌで示す）を短くした形態とすることができ、トレイの小型化を図ることができる。  
尚、上記実施形態では、光ディスクＤへの記録開始時にはトレイ５０の先端は被記録媒体搬送手段４の更に上流側に位置することになるから、搬送従動ローラ３１を搬送駆動ローラ３０から離間させるレリース手段が設けられている（図示せず）。
【００６８】
ところで、上記実施形態では、トレイ５０を搬送するトレイ搬送手段は、押圧ローラ６３と排出駆動ローラ４１とを備えて構成されているが、搬送駆動ローラ３０と搬送従動ローラ３１とで構成しても良い。即ち、搬送従動ローラ３１を、トレイ５０のセット部５２以外の領域と接するように配置すれば、トレイ５０にセットされた光ディスクＤの記録面にローラの通過痕を残すことがなく、記録品質の低下を防止して良好な記録結果を得ることが可能となる。  
尚、「プレート形状を成す被搬送媒体」としては、上述したトレイ５０に限られず、例えばボード紙等のように剛性の大きいプレート形状を成す被搬送媒体であれば、どのようなものであっても構わない。
【図面の簡単な説明】
【００６９】
【図１】本発明に係るプリンタの装置本体の外観斜視図。
【図２】本発明に係るプリンタの側断面図。
【図３】トレイの平面図。
【図４】トレイ先端の外観斜視図。
【図５】排紙フレームＡｓｓｙの外観斜視図。
【図６】排紙フレームＡｓｓｙの外観斜視図。
【図７】レリース部材（レリース手段）の外観斜視図。
【図８】レリース部材の取付部の拡大斜視図。
【図９】排紙フレームＡｓｓｙ周辺のトレイ搬送経路の側断面図。
【図１０】排紙フレームＡｓｓｙ周辺のトレイ搬送経路の側断面図。
【図１１】本発明に係るプリンタの装置本体の外観斜視図。
【図１２】本発明に係るプリンタの装置本体の正面図。
【図１３】他の実施形態に係るトレイの平面図。
【符号の説明】
【００７０】
１  インクジェットプリンタ、２  給紙装置、３  記録手段、４  被記録媒体搬送手段、５  被記録媒体排出手段、６  レリース手段、７  トレイガイド、１１  ホッパ、１２  給送ローラ、１３  リタードローラ、１４  紙戻しレバー、２３  メインフレーム、２４  紙案内上、２５  コイルばね、２６  ガイドローラ、３０  搬送駆動ローラ、３１  搬送従動ローラ、３３  キャリッジ、３４  キャリッジガイド軸、３５  インクカートリッジ、３６  記録ヘッド、３７  プラテン、４１  排出駆動ローラ、４２  排出従動ローラ、４３  ガイドローラ、４４  ホルダ部、４５  排紙フレームＡｓｓｙ、４６  排紙フレーム、４７  ローラ支持部材、４８  ガイドフレーム、４９  コイルばね、５０  トレイ、５１  トレイ本体、５２  セット部、６０  レリース部材、６１  レバー部、６２  軸受部、６３  押圧ローラ（押圧部）、７４、７５  ガイドリブ、Ｄ  光ディスク、Ｐ  記録用紙
【図１】
2006199431.tif 000003
【図２】
2006199431.tif 000004
【図３】
2006199431.tif 000005
【図４】
2006199431.tif 000006
【図５】
2006199431.tif 000007
【図６】
2006199431.tif 000008
【図７】
2006199431.tif 000009
【図８】
2006199431.tif 000010
【図９】
2006199431.tif 000011
【図１０】
2006199431.tif 000012
【図１１】
2006199431.tif 000013
【図１２】
2006199431.tif 000014
【図１３】
2006199431.tif 000015